(57)【特許請求の範囲】
【請求項１】
少なくとも紙層からなる基材層と、ガスバリアー層からなる中間層と、熱接着性樹脂層からなる内層とを備えた積層体からなる傾斜屋根部に注出口となる注出部材を有するゲーベルトップ型紙容器であって、該ゲーベルトップ型紙容器の胴部を構成する一つの側面板を挟むように前記基材層のみが切り欠かれた２つの切欠部が形成されており、
当該２つの切欠部を最短で結ぶ位置にある側面板に両切欠部を繋ぐ罫線が少なくとも１つ設けられていることを特徴とする、ゲーベルトップ型紙容器。
【請求項２】
少なくとも紙層からなる基材層と、ガスバリアー層からなる中間層と、熱接着性樹脂層からなる内層とを備えた積層体からなる傾斜屋根部に注出口となる注出部材を有するゲーベルトップ型紙容器であって、該ゲーベルトップ型紙容器の胴部を構成する一つの側面板を挟むように前記基材層のみが切り欠かれた切欠部が形成されており、
前記傾斜屋根部の前記注出口となる注出部材を備えた傾斜屋根部形成板に連接する胴部を構成する側面板と、該側面板に連接する二つの側面板により形成される稜線およびこれを少なくとも含む所定領域に、前記切欠部が対向する位置に設けられていることを特徴とする、ゲーベルトップ型紙容器。
【請求項３】
少なくとも紙層からなる基材層と、ガスバリアー層からなる中間層と、熱接着性樹脂層からなる内層とを備えた積層体からなる傾斜屋根部に注出口となる注出部材を有するゲーベルトップ型紙容器であって、該ゲーベルトップ型紙容器の胴部を構成する一つの側面板を挟むように前記基材層のみが切り欠かれた切欠部が形成されており、
前記傾斜屋根部の前記注出口となる注出部材を備えた傾斜屋根部形成板に連接する胴部を構成する側面板と該側面板と対向する位置にある側面板と、前記両側面板を繋ぐ側面板とにより形成される稜線およびこれを少なくとも含む所定領域に、前記切欠部が対向する位置に設けられていることを特徴とする、ゲーベルトップ型紙容器。
【請求項４】
少なくとも紙層からなる基材層と、ガスバリアー層からなる中間層と、熱接着性樹脂層からなる内層とを備えた積層体からなる傾斜屋根部に注出口となる注出部材を有するゲーベルトップ型紙容器であって、
前記傾斜屋根部の前記注出口となる注出部材を備えた傾斜屋根部形成板に連接する胴部を構成する側面板の両端部に切欠部が２つ対向する位置に設けられており、
当該２つの切欠部を最短で結ぶ位置にある側面板に両切欠部を繋ぐ罫線が少なくとも１つ設けられていることを特徴とする、ゲーベルトップ型紙容器。
【請求項５】
少なくとも紙層からなる基材層と、ガスバリアー層からなる中間層と、熱接着性樹脂層からなる内層とを備えた積層体からなる傾斜屋根部に注出口となる注出部材を有するゲーベルトップ型紙容器であって、該ゲーベルトップ型紙容器の胴部を構成する一つの側面板を挟むように前記基材層のみが切り欠かれた切欠部が形成されており、
前記傾斜屋根部の前記注出口となる注出部材を有する傾斜屋根部形成板に連接する胴部を構成する側面板と直交する方向にある二つの側面板の前記注出口となる注出部材を有する傾斜屋根部形成板に連接する胴部を構成する前記側面板側の両端部に前記切欠部が対向する位置に設けられており、
前記両切欠部を最短で結ぶ位置にある側面板に前記切欠部を繋ぐ罫線が少なくとも１つ設けられていることを特徴とする、ゲーベルトップ型紙容器。
【請求項６】
少なくとも紙層からなる基材層と、ガスバリアー層からなる中間層と、熱接着性樹脂層からなる内層とを備えた積層体からなる傾斜屋根部に注出口となる注出部材を有するゲーベルトップ型紙容器であって、
前記傾斜屋根部の前記注出口となる注出部材を有する傾斜屋根部形成板に連接する胴部を構成する側面板の一方の端部と、他方の端部に連接する側面板の前記他方の端部側の端部とに切欠部が２つ前記胴部の上下方向の位置を同じくして設けられており、
当該２つの切欠部を最短で結ぶ位置にある側面板に前記切欠部を繋ぐ罫線が少なくとも１つ設けられていることを特徴とする、ゲーベルトップ型紙容器。
【請求項７】
前記切欠部が前記胴部の天地方向の天部から１／３の位置に前記切欠部の天地方向の中心が位置するように設けられていることを特徴とする請求項１〜６のいずれかに記載のゲーベルトップ型紙容器。
【請求項８】
前記両切欠部を最短で結ぶ位置にある側面板に前記切欠部を繋ぐ罫線が少なくとも１つ設けられていることを特徴とする、請求項２または３記載のゲーベルトップ型紙容器。
【請求項９】
請求項１〜８のいずれかに記載のゲーベルトップ型の紙容器が４０ｍｍ角〜７０ｍｍ角の範囲の角形からなる胴部を有する紙容器であることを特徴とするゲーベルトップ型紙容器。
【請求項１０】
前記両切欠部は、側面板を挟んで、容器胴部の天地方向における高さ位置を互いにずらして形成されていることを特徴とする、請求項１〜９のいずれかに記載のゲーベルトップ型紙容器。
【請求項１１】
前記切欠部は、容器稜線に沿って断続的に形成されていることを特徴とする、請求項１〜１０のいずれかに記載のゲーベルトップ型紙容器。
【請求項１２】
少なくとも紙層からなる基材層と、ガスバリアー層からなる中間層と、熱接着性樹脂層からなる内層とを備えた積層体で構成される紙容器であって、
紙容器の胴部を構成する一つの側面板の両側位置の２箇所に、基材層のみが切り欠かれた切欠部が形成されており、
前記両切欠部を最短で結ぶ位置にある側面板に前記切欠部を繋ぐ罫線が少なくとも１つ設けられていることを特徴とする、紙容器。
【請求項１３】
前記切欠部が前記胴部の天地方向の天部から１／３の位置に前記切欠部の天地方向の中心が位置するように設けられていることを特徴とする、請求項１２記載の紙容器。
【請求項１４】
前記胴部が４０ｍｍ角〜７０ｍｍ角の範囲の角形であることを特徴とする、請求項１２または１３記載の紙容器。
【請求項１５】
前記両切欠部は、側面板を挟んで、容器胴部の天地方向における高さ位置を互いにずらして形成されていることを特徴とする、請求項１２〜１４のいずれかに記載の紙容器。
【請求項１６】
前記切欠部は、容器稜線に沿って断続的に形成されていることを特徴とする、請求項１２〜１５のいずれかに記載の紙容器。
【請求項１７】
ゲーベルトップを構成する２つの傾斜屋根について、互いの傾斜角度を異ならせることで、一方の傾斜屋根の面積を相対的に大きくし、当該一方の傾斜屋根に上記注出部材を配置したことを特徴とする、請求項１〜１１のいずれか１つに記載のゲーベルトップ型紙容器。
【請求項１８】
前記切欠部の少なくとも１つに対して、容器周壁上の１８０°対向する位置に別の切欠部が配置されていて、
各切欠部においては、中間層および内層が透光性を有していて、容器内が目視可能であることを特徴とする、請求項１〜１７のいずれか１つに記載の紙容器。
【発明の詳細な説明】
【技術分野】
【０００１】
本発明は、清酒、焼酎、ウイスキー、ワイン、シャンプー、リンス、ドレッシング、ケチャップ、マヨネーズ、あるいは、各種洗浄液等の液状物や粘稠物等の内容物を収容する紙容器に関し、さらに詳しくは、内容物を押し出すための押し出し機能を備えた、特にゲーベルトップ型の紙容器に関するものである。
【背景技術】
【０００２】
従来、清酒、焼酎、ウイスキー、ワイン、シャンプー、リンス、ドレッシング、ケチャップ、マヨネーズ、あるいは、各種洗浄液等の液状物や粘稠物等の内容物を収容する紙容器は、成形のし易さや保形性、あるいは、光遮断性の点から紙基材を使用し、また、ガスバリアー性の点からアルミニウム箔、あるいは、アルミニウム、酸化珪素、酸化アルミ等の無機物の蒸着を施したプラスチックフィルムが一般的に用いられている。
【０００３】
具体的に紙容器に用いられる構成としては、たとえば、高圧法低密度ポリエチレン層（以下、ＬＤＰＥ層と呼称する）／紙層／ＬＤＰＥ層／アルミニウム箔／接着剤／二軸延伸ポリエチレンテレフタレートフィルム（以下、ＰＥＴフィルムと呼称する）／ＬＤＰＥ層又は中密度ポリエチレン層（以下、ＭＤＰＥ層と呼称する）からなるものが一般的であるし、また、上記構成において、アルミニウム箔とＰＥＴフィルムとの積層工程を省略した低価格の、ＬＤＰＥ層／紙層／ＬＤＰＥ層／アルミニウム蒸着層／ＰＥＴフィルム／ＬＤＰＥ層、ないしは、ＬＤＰＥ層／紙層／ＬＤＰＥ層／酸化珪素蒸着層（又は酸化アルミ蒸着層）／ＰＥＴフィルム／ＬＤＰＥ層からなるものが使用されている。
【０００４】
しかしながら、上記した構成からなる紙容器は、殆ど変形しないために、内容物を排出する際には、紙容器を傾ける操作しか行えず、たとえば、ペットボトル等の容器のように、容器を押して変形させ、内容物を強制的に排出するという操作が行えないという問題があり、特に内容物の粘度が高い場合には排出に時間が掛かるという問題があった。
【０００５】
この問題を解決するものとして、紙容器の胴部を構成する稜線部等に押込み部を設けた紙容器が提案されている（たとえば、特許文献１参照）。しかしながら、特許文献１に開示された紙容器は、一度、押込み部を押し込むと、それ以上押し込むことができないし、繰り返し押し込むためには、押込み部をその都度、元に戻さなければならないという煩雑さがあった。
【特許文献１】特開２０００−１０９０５７号公報
【発明の開示】
【発明が解決しようとする課題】
【０００６】
そこで本発明は、上記問題に鑑みてなされたものであり、繰り返し容器を押すことにより内容物を強制的に排出する操作を可能にした紙容器を提供することにある。
【課題を解決するための手段】
【０００７】
上記課題を達成するため、請求項１に係る本発明のゲーベルトップ型紙容器は、少なくとも紙層からなる基材層と、ガスバリアー層からなる中間層と、熱接着性樹脂層からなる内層とを備えた積層体からなる傾斜屋根部に注出口となる注出部材を有するゲーベルトップ型紙容器であって、該ゲーベルトップ型紙容器の胴部を構成する一つの側面板を挟むように前記基材層のみが切り欠かれた２つの切欠部が形成されている。当該２つの切欠部を最短で結ぶ位置にある側面板に両切欠部を繋ぐ罫線が少なくとも１つ設けられている。
【０００８】
請求項２に係る本発明のゲーベルトップ型紙容器は、少なくとも紙層からなる基材層と、ガスバリアー層からなる中間層と、熱接着性樹脂層からなる内層とを備えた積層体からなる傾斜屋根部に注出口となる注出部材を有するゲーベルトップ型紙容器であって、該ゲーベルトップ型紙容器の胴部を構成する一つの側面板を挟むように前記基材層のみが切り欠かれた切欠部が形成されている。前記傾斜屋根部の前記注出口となる注出部材を備えた傾斜屋根部形成板に連接する胴部を構成する側面板と、該側面板に連接する二つの側面板により形成される稜線およびこれを少なくとも含む所定領域に、前記切欠部が対向する位置に設けられている。
【０００９】
請求項３に係る本発明のゲーベルトップ型紙容器は、少なくとも紙層からなる基材層と、ガスバリアー層からなる中間層と、熱接着性樹脂層からなる内層とを備えた積層体からなる傾斜屋根部に注出口となる注出部材を有するゲーベルトップ型紙容器であって、該ゲーベルトップ型紙容器の胴部を構成する一つの側面板を挟むように前記基材層のみが切り欠かれた切欠部が形成されている。前記傾斜屋根部の前記注出口となる注出部材を備えた傾斜屋根部形成板に連接する胴部を構成する側面板と該側面板と対向する位置にある側面板と、前記両側面板を繋ぐ側面板とにより形成される稜線およびこれを少なくとも含む所定領域に、前記切欠部が対向する位置に設けられている。
【００１０】
請求項４に係る本発明のゲーベルトップ型紙容器は、少なくとも紙層からなる基材層と、ガスバリアー層からなる中間層と、熱接着性樹脂層からなる内層とを備えた積層体からなる傾斜屋根部に注出口となる注出部材を有するゲーベルトップ型紙容器であって、前記傾斜屋根部の前記注出口となる注出部材を備えた傾斜屋根部形成板に連接する胴部を構成する側面板の両端部に切欠部が２つ対向する位置に設けられている。当該２つの切欠部を最短で結ぶ位置にある側面板に両切欠部を繋ぐ罫線が少なくとも１つ設けられている。
【００１１】
請求項５に係る本発明のゲーベルトップ型紙容器は、少なくとも紙層からなる基材層と、ガスバリアー層からなる中間層と、熱接着性樹脂層からなる内層とを備えた積層体からなる傾斜屋根部に注出口となる注出部材を有するゲーベルトップ型紙容器であって、該ゲーベルトップ型紙容器の胴部を構成する一つの側面板を挟むように前記基材層のみが切り欠かれた切欠部が形成されている。前記傾斜屋根部の前記注出口となる注出部材を有する傾斜屋根部形成板に連接する胴部を構成する側面板と直交する方向にある二つの側面板の前記注出口となる注出部材を有する傾斜屋根部形成板に連接する胴部を構成する前記側面板側の両端部に前記切欠部が対向する位置に設けられている。前記両切欠部を最短で結ぶ位置にある側面板に前記切欠部を繋ぐ罫線が少なくとも１つ設けられている。
【００１２】
請求項６に係る本発明のゲーベルトップ型紙容器は、少なくとも紙層からなる基材層と、ガスバリアー層からなる中間層と、熱接着性樹脂層からなる内層とを備えた積層体からなる傾斜屋根部に注出口となる注出部材を有するゲーベルトップ型紙容器であって、前記傾斜屋根部の前記注出口となる注出部材を有する傾斜屋根部形成板に連接する胴部を構成する側面板の一方の端部と、他方の端部に連接する側面板の前記他方の端部側の端部とに切欠部が２つ前記胴部の上下方向の位置を同じくして設けられている。当該２つの切欠部を最短で結ぶ位置にある側面板に前記切欠部を繋ぐ罫線が少なくとも１つ設けられている。
【００１３】
また、請求項７記載の本発明は、請求項１〜６のいずれかのゲーベルトップ型紙容器において、前記切欠部が前記胴部の天地方向の天部から１／３の位置に前記切欠部の天地方向の中心が位置するように設けたものである。
請求項８記載の本発明は、請求項２または３記載のゲーベルトップ型紙容器において、前記両切欠部を最短で結ぶ位置にある側面板に前記切欠部を繋ぐ罫線が少なくとも１つ設けたものである。
請求項９記載の本発明は、請求項１〜８のいずれかに記載のゲーベルトップ型紙容器において、４０ｍｍ角〜７０ｍｍ角の範囲の角形からなる胴部を有するものである。
請求項１０記載の本発明は、請求項１〜９のいずれかに記載のゲーベルトップ型紙容器において、前記両切欠部は、側面板を挟んで、容器胴部の天地方向における高さ位置を互いにずらして形成されているものである。
請求項１１記載の本発明は、請求項１〜１０のいずれかに記載のゲーベルトップ型紙容器において、前記切欠部は、容器稜線に沿って断続的に形成されているものである。
【００１４】
請求項１２に係る本発明の紙容器は、少なくとも紙層からなる基材層と、ガスバリアー層からなる中間層と、熱接着性樹脂層からなる内層とを備えた積層体で構成される紙容器であって、紙容器の胴部を構成する一つの側面板の両側位置の２箇所に、基材層のみが切り欠かれた切欠部が形成されている。前記両切欠部を最短で結ぶ位置にある側面板に前記切欠部を繋ぐ罫線が少なくとも１つ設けられている。
【００１５】
請求項１３記載の本発明は、請求項１２記載の紙容器において、前記切欠部が前記胴部の天地方向の天部から１／３の位置に前記切欠部の天地方向の中心が位置するように設けられている。
請求項１４記載の本発明は、請求項１２または１３記載の紙容器において、前記胴部が４０ｍｍ角〜７０ｍｍ角の範囲の角形である。
請求項１５記載の本発明は、請求項１２〜１４のいずれかに記載の紙容器において、前記両切欠部は、側面板を挟んで、容器胴部の天地方向における高さ位置を互いにずらして形成されている。
請求項１６記載の本発明は、請求項１２〜１５のいずれかに記載の紙容器において、前記切欠部は、容器稜線に沿って断続的に形成されている。
請求項１７記載の本発明は、請求項１〜１１のいずれか１つに記載のゲーベルトップ型紙容器において、ゲーベルトップを構成する２つの傾斜屋根について、互いの傾斜角度を異ならせることで、一方の傾斜屋根の面積を相対的に大きくし、当該一方の傾斜屋根に上記注出部材を配置している。
請求項１８記載の本発明は、請求項１〜１７のいずれか１つに記載のゲーベルトップ型紙容器において、前記切欠部の少なくとも１つに対して、容器周壁上の１８０°対向する位置に別の切欠部が配置されていて、各切欠部においては、中間層および内層が透光性を有していて、容器内が目視可能である。
【発明の効果】
【００１６】
本発明のゲーベルトップ型紙容器は、容器を片手で持って、側面板の切欠部に挟まれた箇所を手指で繰り返し押すことが可能となり、内容物を強制的に排出することができるという優れた効果を奏するものである。
【００１７】
前記両切欠部を、側面板を挟んで、容器胴部の天地方向における高さ位置を互いにずらして形成した場合には、容器の剛性が全体に渡って小さくなり、容器の変形および内容物の排出がスムーズになるというメリットがある。
前記切欠部を容器稜線に沿って断続的に形成する場合には、折曲げ力が折罫（稜線）の全体に作用し易くなり、容器の組立工程がスムーズになるというメリットがある。
なお、紙容器はゲーベルトップ型のものに限定されるものではなく、例えば、天面および底面がいずれもフラットな容器であってもよい。
【発明を実施するための最良の形態】
【００１８】
上記の本発明について、図面等を用いて以下に詳述する。
図１は本発明にかかるゲーベルトップ型紙容器の第１実施形態を示す斜視図、図２は図１に示す第１実施形態のゲーベルトップ型紙容器のブランク板を示す平面図、図３は図２のＸ−Ｘ線の断面を図解的に示す図、図４は本発明にかかるゲーベルトップ型紙容器の第２実施形態を示す斜視図、図５は図４に示す第２実施形態のゲーベルトップ型紙容器のブランク板を示す平面図、図６は本発明にかかるゲーベルトップ型紙容器の第３実施形態を示す斜視図、図７は図６に示す第３実施形態のゲーベルトップ型紙容器のブランク板を示す平面図、図８は本発明にかかるゲーベルトップ型紙容器の第４実施形態を示す斜視図、図９は図８に示す第４実施形態のゲーベルトップ型紙容器のブランク板を示す平面図、図１０は本発明にかかるゲーベルトップ型紙容器の第５実施形態を示す斜視図、図１１は図１０に示す第５実施形態のゲーベルトップ型紙容器のブランク板を示す平面図、図１２は本発明にかかる第１実施形態のゲーベルトップ型紙容器の使用状態を説明する概略図であり、図中の１，２，３，４は側面板、５は糊代片、６は注出部材取付孔、１０は注出部材、１１は切欠部、１２は罫線、１ａ，２ａ，３ａ，４ａは傾斜屋根部形成板、１ｂ，２ｂ，３ｂ，４ｂは底部形成板、２０，２０’はＬＤＰＥ層、２１は紙層、２２はＥＭＡＡ層、２３は酸化珪素蒸着層、２４はＰＥＴフィルム、２５はエチレン−αオレフィン共重合体層、Ａは基材層、Ｂは中間層、Ｃは内層、Ｐ１〜Ｐ５はゲーベルトップ型紙容器、Ｐ１’〜Ｐ５’はブランク板をそれぞれ示す。
【００１９】
最初に、本発明のゲーベルトップ型紙容器に用いる積層体の構成について説明する。積層体の構成としては、背景技術の項で記載した構成、すなわち、ＬＤＰＥ層／紙層／ＬＤＰＥ層／アルミニウム箔／接着剤／ＰＥＴフィルム／ＬＤＰＥ層又はＭＤＰＥ層、ＬＤＰＥ層／紙層／ＬＤＰＥ層／アルミニウム蒸着層／ＰＥＴフィルム／ＬＤＰＥ層、あるいは、ＬＤＰＥ層／紙層／ＬＤＰＥ層／酸化珪素蒸着層（又は酸化アルミ蒸着層）／ＰＥＴフィルム／ＬＤＰＥ層等の構成のものを使用することができるが、上記構成はゲーベルトップ型紙容器に用いる積層体の一例を記載したものであり、これに限るものではないことはいうまでもないことである。なお、上記構成例において、本願でいうところの基材層とは下線で示したＬＤＰＥ層／紙層の部分であり、中間層とはアルミニウム箔、アルミニウム蒸着層／ＰＥＴフィルムおよび酸化珪素蒸着層（又は酸化アルミ蒸着層）／ＰＥＴフィルムの部分であり、内層とはＬＤＰＥ層やＭＤＰＥ層の部分である。
【００２０】
図１は本発明にかかるゲーベルトップ型紙容器の第１実施形態を示す斜視図であって、ゲーベルトップ型紙容器Ｐ１は傾斜屋根部に注出口となる注出部材１０を有し、前記傾斜屋根部の前記注出口となる注出部材１０を備えた傾斜屋根部形成板３ａに連接する胴部を構成する側面板３と、該側面板３に連接する二つの側面板２（図２参照）および側面板４により形成される稜線およびこれを少なくとも含む所定領域に、基材層Ａ（図３参照）のみが切り欠かれた、角部が曲面状に面取りされた略矩形状の切欠部１１が対向する位置に設けれると共に前記側面板３に前記切欠部１１を繋ぐ１本の罫線１２が設けられたものである。
【００２１】
図２は図１に示す第１実施形態のゲーベルトップ型紙容器のブランク板を示す平面図であって、ブランク板Ｐ１’は側面板１と側面板２と側面板３と側面板４と糊代片５とが折罫を介してそれぞれ連接すると共に、側面板１の上下端には傾斜屋根部形成板１ａと底部形成板１ｂが、側面板２の上下端には傾斜屋根部形成板２ａと底部形成板２ｂが、側面板３の上下端には中央部に注出部材１０を取り付ける注出部材取付孔６が形成された傾斜屋根部形成板３ａと底部形成板３ｂが、側面板４の上下端には傾斜屋根部形成板４ａと底部形成板４ｂがそれぞれ折罫を介して連接し、傾斜屋根部形成板２ａ，４ａおよび底部形成板２ｂ，３ｂ，４ｂの所定位置に折罫が形成されたものであり、このブランク板Ｐ１’は周知の工程を経て組み立てられて、容器完成時に前記注出部材取付孔６に注出部材１０が取り付けられるものである。なお、前記側面板２と前記側面板３、および、前記側面板３と前記側面板４を連接する折罫（請求項上は稜線）およびこれを少なくとも含む所定領域に、前記基材層Ａ（図３参照）のみが切り欠かれた角部が曲面状に面取りされた略矩形状の切欠部１１が対向する位置に設けられていると共に前記側面板３に前記切欠部１１を繋ぐ１本の罫線１２が設けられている。
【００２２】
図３は図２のＸ−Ｘ線の断面を図解的に示す図であって、ブランク板Ｐ１’は表層側（図２の紙面表側）から、たとえば、ＬＤＰＥ層２０と紙層２１とエチレン−メタクリル酸共重合体層（以下、ＥＭＡＡ層と呼称する）２２と酸化珪素蒸着層２３とＰＥＴフィルム２４とＬＤＰＥ層２０’とエチレン−αオレフィン共重合体層２５とからなる積層体であって、この場合において本願でいうところの基材層ＡとしてはＬＤＰＥ層２０と紙層２１であり、ガスバリアー層からなる中間層Ｂとしては酸化珪素蒸着層２３とＰＥＴフィルム２４であり、熱接着性樹脂層からなる内層Ｃとしてはエチレン−αオレフィン共重合体層２５であり、ＥＭＡＡ層２２とＬＤＰＥ層２０’とは基材層Ａと中間層Ｂと内層Ｃを積層するための接着層である。そして、図３からも明らかなように、切欠部１１は表層側のＬＤＰＥ層２０から紙層２１を貫通するように形成されている。なお、これ以降に説明する第２〜５実施形態は第１実施形態と比べて切欠部１１を設ける位置や形状が異なるのみで、その他については第１実施形態と同じであり、実施の態様についてのみ説明する。
【００２３】
図４は本発明にかかるゲーベルトップ型紙容器の第２実施形態を示す斜視図、図５は図４に示す第２実施形態のゲーベルトップ型紙容器のブランク板を示す平面図であって、ゲーベルトップ型紙容器Ｐ２は傾斜屋根部に注出口となる注出部材１０を有し、前記傾斜屋根部の前記注出口となる注出部材１０を有する傾斜屋根部形成板３ａに連接する胴部を構成する側面板３と該側面板３と対向する位置にある側面板１（図５参照）と、前記両側面板３、１（図５参照）を繋ぐ側面板２とにより形成される稜線（折罫）およびこれを少なくとも含む所定領域に、角部が曲面状に面取りされた略矩形状の切欠部１１が対向する位置に設けられると共に側面板２に前記切欠部１１を繋ぐ１本の罫線１２が設けられているものである。
【００２４】
図６は本発明にかかるゲーベルトップ型紙容器の第３実施形態を示す斜視図、図７は図６に示す第３実施形態のゲーベルトップ型紙容器のブランク板を示す平面図であって、ゲーベルトップ型紙容器Ｐ３は傾斜屋根部に注出口となる注出部材１０を有し、前記傾斜屋根部の前記注出口となる注出部材１０を備えた傾斜屋根部形成板３ａに連接する胴部を構成する側面板３の両端部に、断面略鏡餅形状の切欠部１１が対向する位置に対向して設けられているものである。
【００２５】
図８は本発明にかかるゲーベルトップ型紙容器の第４実施形態を示す斜視図、図９は図８に示す第４実施形態のゲーベルトップ型紙容器のブランク板を示す平面図であって、ゲーベルトップ型紙容器Ｐ４は傾斜屋根部に注出口となる注出部材１０を有し、前記傾斜屋根部の前記注出口となる注出部材１０を有する傾斜屋根部形成板３ａに連接する胴部を構成する側面板３と直交する方向にある二つの側面板４、２（図９参照）の前記注出口となる注出部材１０を備えた傾斜屋根部形成板３ａに連接する胴部を構成する前記側面板３側の両端部に、断面略鏡餅形状の切欠部１１が対向する位置に対向して設けられているものである。
【００２６】
図１０は本発明にかかるゲーベルトップ型紙容器の第５実施形態を示す斜視図、図１１は図１０に示す第５実施形態のゲーベルトップ型紙容器のブランク板を示す平面図であって、ゲーベルトップ型紙容器Ｐ５は傾斜屋根部に注出口となる注出部材１０を有し、前記傾斜屋根部の前記注出口となる注出部材１０を有する傾斜屋根部形成板３ａに連接する胴部を構成する側面板３の一方の端部と、他方の端部に連接する側面板４の前記他方の端部側の端部とに、断面略鏡餅形状の切欠部１１が前記胴部の上下方向の位置を同じくして設けられているものである。
【００２７】
ところで、実施形態においては、切欠部１１を角部が曲面状に面取りされた略矩形状や断面略鏡餅形状としたものを示したが、切欠部１１の切欠形状はこれに限るものではなく、適宜の形状を採ることができるものである。また、２つの切欠部１１の切欠形状は対称であっても非対称であってもよいし、切欠形状が異なっていてもよいものである。また、側面板２ないし側面板３は切欠部１１に挟まれた箇所を手指で繰り返し押すことと、押し込む深さを考慮すると、切欠部１１は切欠部１１の天地方向の略中心において出来る限り切欠部１１が接近する構成することが望ましい。また、前記切欠部１１を設ける位置としては、ゲーベルトップ型紙容器Ｐ１〜Ｐ５の胴部の天地方向の天部から略１／３の位置に前記切欠部１１の天地方向の中心が位置するように設けることが適当であり、また、切欠部１１の天地方向の寸法としては、ゲーベルトップ型紙容器Ｐ１〜Ｐ５の胴部の天地方向の長さの５０％未満で２０％以上、好ましくは３０％以上である。この理由としては、５０％以上であると、製函時に切欠部１１を設けた折罫で折れない虞があり、２０％未満では十分な押し込む深さを得られない虞がある。
【００２８】
また、実施形態においては、前記側面板２ないし側面板３に前記切欠部１１を繋ぐ１本の罫線１２を設けたものを示したが、この罫線１２についても１本に限ることはなく、た
えば、紙層の坪量が大きい場合や繰り返し押す力をより小さなものとしたい場合には２本以上の複数の罫線であってもよいし、また、直線に限ることはなく、への字形状や円弧形状であってもよいし、また、への字状や円弧状の罫線２本を中央部が乖離するように、あるいは、中央部が接近するように配置したものであってもよいものである。
【００２９】
図１２は本発明にかかる第１実施形態のゲーベルトップ型紙容器の使用状態を説明する概略図であって、ゲーベルトップ型紙容器Ｐ１の注出部材１０を開封して注出口を設け、その後にゲーベルトップ型紙容器Ｐ１を片手で持って、側面板３の切欠部１１に挟まれた箇所を手指で繰り返し押す（図の矢印方向）ことにより内容物を強制的に排出することができる。そして、本発明のゲーベルトップ型紙容器は片手で持って手指で繰り返し押す（図の矢印方向）ことにより内容物を強制的に排出する操作を行うものであり、本発明は４０ｍｍ角〜７０ｍｍ角の範囲の角形からなる胴部を有するゲーベルトップ型紙容器に特に好適である。なお、図示はしないが、第２実施形態〜第５実施形態についても使い方は第１実施形態と同様であって、側面板２ないし側面板３の切欠部１１に挟まれた箇所を手指で繰り返し押すことにより内容物を強制的に排出することができる。
【００３０】
上記したように、従来のゲーベルトップ型紙容器においては、流通時や使用時の形状を確保する意味から層構成中の紙層は坪量が２００ｇ／ｍ2〜４８０ｇ／ｍ2の厚紙を用いるために、結果として剛性の強い容器とならざるを得ず、内容物を強制的に排出するということが極めて困難であったが、本発明により強制的に内容物を排出することができるゲーベルトップ型紙容器とすることができ、強制的に内容物を排出することができるという機能を付与することによりゲーベルトップ型紙容器の用途範囲を拡大することができ、社会生活への寄与度は計り知れないものがある。
【００３１】
≪切欠部の高さ位置をずらして形成する例≫
図１３に示した容器Ｐ７は、図１に示した第１実施形態の容器Ｐ１に対して、２つの切欠部１１、１１の高さ位置を互いにずらして構成している点が異なる。すなわち、図１３中、左側の切欠部１１を相対的に低い位置に、右側の切欠部１１を相対的に高い位置に、それぞれ配置している。
罫線１２は、図１３では、左右の切欠部１１、１１のオーバーラップする高さ位置において水平に形成している。しかし、斜め方向に罫線を形成する等してもよい。
左右の切欠部の高さ位置を異ならせることにより、左右同位置にある場合に比べて、容器胴部を形成するパネル側面板３の強度を高めることができ、容器の潰れ等を防ぐことができ、かつ強制的に内容物を排出する機能も維持できるというメリットがある。
【００３２】
他の実施形態の容器についても、同様に、左右の切欠部の高さ位置をずらして配置してもよい。
【００３３】
≪切欠部を断続的に形成する例≫
図１４に示した容器Ｐ８は、図１に示した第１実施形態の容器Ｐ１に対して、切欠部を容器稜線１５、１６に沿って断続的に形成している点が異なる。すなわち、図１の容器Ｐ１が備える各切欠部１１をそれぞれ、稜線１５、１６に沿って上下に２つ（１１ａ、１１ｂ）とすることで、図１４の容器Ｐ８が得られる。切欠部を断続的に設けることのメリットは、次の通りである。
容器は例えば図２に示した平坦なブランク板Ｐ１’から組み立てられるが、そのとき、切欠部が形成されている稜線１５、１６も、ブランク板上の折罫を折り曲げることによって形成される。折罫を折り曲げるとき、（ａ）当該折罫が大きな切欠部で分断されているよりも、（ｂ）小さな切欠部で分断されている方が、折りを綺麗に形成できる。
すなわち、製造工程中で胴部を貼り合わせる際、すなわちフレームシールを行う際、当該罫線部を屋根部側あるいは底部側から順次、側面板１および５を重ね合わせる様にガイド部材で絞り込んで折っていく。このため、後者（ｂ）のように、切欠部と切欠部との間に折れの進行を案内する基材の紙部１５β、１６β（図１４参照）が存在する方が、折れが蛇行することなく綺麗に折れるというメリットがある。
【００３４】
図１４の例では、隣接する切欠部同士を繋ぐ罫線１２ａ、１２ｂを上下に２つ形成しているが、いずれか一方だけ、あるいは省略することも可能である。なお、切欠部は、３つまたは４つ以上に分断してもよく、その数は任意である。
他の実施形態の容器についても、同様に、切欠部を分断することで、胴部を貼り合わせる際（フレームシール時）に、折りが蛇行せず、綺麗に折り曲げることが可能となる。
【００３５】
≪ゲーベルトップ型以外の容器≫
以上に説明した例では、紙容器はいずれも、上部に傾斜屋根を有するゲーベルトップ型のものであるが、本発明において、容器の全体的な形状は特定のものに限定されず、例えば、天面および底面がいずれもフラットな容器であってもよい。また、内容物を取り出す注出部の形態についても、別部材である注出部材１０を取り付ける構成に限らず、容器の一部を破り開ける構成であってもよい。
図１５（ａ）〜（ｃ）の各容器Ｐ１１、Ｐ１７、Ｐ１８は、ぞれぞれ、容器Ｐ１、Ｐ７、Ｐ８に対する変形例であって、いずれも天面がフラットであり、当該天面を破り開ける構成を採用している。他の実施形態の容器Ｐ２〜Ｐ５についても、同様に、ゲーベルトップ型以外の形態を採用してもよい。
【００３６】
≪ゲーベルトップタイプであって、変則傾斜屋根を設けた例≫
例えば図１に示したゲーベルトップタイプの容器においては、傾斜屋根３ａの面積は、一般的に、図１５（ａ）のように平坦屋根を有するものと比べて、小さくなる。
ゲーベルトップ容器において、注出部材１０は傾斜屋根３ａに設けられるので、傾斜屋根３ａの面積が小さくなると、注出部材１０も必然的に小径となってしまう。注出部材１０が小径であると、プルタブに指がかからず、開封しにくくなるという問題が生じる。特に、容器の径（水平横断面積）が小さい場合、すなわち容器が細い場合に、そのようなことが問題となりやすい。
【００３７】
この問題を解決するための構成を図１６（ａ）に示している。図１６（ａ）のゲーベルトップ容器Ｐ２０では、ゲーベルトップを構成する２つの傾斜屋根３ａ、３ｂを変則的に構成している。ゲーベルトップ容器の場合、一般的には図１６（ｂ）に示したように、２つの傾斜屋根は面積が等しく、同じ角度をもって傾斜しているが、図１６（ａ）のゲーベルトップ容器Ｐ２０においては、一方の傾斜屋根３ａと他方の傾斜屋根３ｂとの傾斜角度を異ならせている。
これにより、２つの傾斜屋根を同一角度で傾斜させた図１６（ｂ）の場合と比較して、一方の傾斜屋根３ａの面積を大きく確保することができる（他方の傾斜屋根３ｂの面積は小さくなるが）。そして、面積が大きい方の傾斜屋根３ａに注出部材１１０を配置することで、できるだけ大径の注出部材１１０を使用できるように工夫している。
図１６（ａ）、（ｂ）を比較すれば分かるように、図１６（ａ）においては、傾斜屋根３ａの面積が大きい分だけ、注出部材１１０の径が大きくなっている。
【００３８】
≪容器内が見やすくなるように、切欠部を工夫した例≫
既に説明した本発明の各実施形態における切欠部１１は、容器の強度を部分的に弱くして、その部分を繰り返し押すことで内容物を排出し易くするために設けたものである。したがって、切欠部１１を介して容器内部を目視できることは必ずしも必要ではない。
しかし、図３において、切欠部１１の下方側に残存する容器壁面（中間層Ｂおよび内層Ｃ）に透光性を持たせ、当該切欠部１１を窓のように構成すれば、容器内を目視することが可能となり、残量等が確認できるというメリットが追加される。その場合、切欠部１１（窓）は、少なくとも２つ設けることが好ましく、当該２つの窓が容器周壁上の対向する位置（ほぼ１８０°反対側）に存在することがさらに好ましい。そのように構成することで、一方の切欠部（窓）から光を採り入れながら、他方の窓から容器内を明瞭に目視確認できる。
【００３９】
このような条件を満たす、切欠部（窓）１１の配置例を図１７に例示的に示した。いずれの容器においても、切欠部（窓）１１が少なくとも２つあり、ほぼ１８０°対向して配置された２つの切欠部（窓）１１を含んでいる。なお、図１７においては、いずれの容器もゲーベルトップタイプであるが、平坦屋根の容器であってもよい。
【００４０】
図１７（ａ）では、切欠部（窓）が合計４つ設けられていて、１１ｄと１１ｄが対向する位置にあり、１１ｅと１１ｅも対向する位置にある。図１７（ｂ）では、切欠部（窓）は合計２つで、１１ｄと１１ｄが対向する位置にある。
図１７（ｃ）では、１１ｄと１１ｄが対向する位置にある。１１ｅに対向する位置に第４の切欠部（窓）を設けても、設けなくてもよい。図１７（ｄ）では、切欠部（窓）は合計２つで、１１ｄと１１ｄが対向する位置にある。
いずれの場合も、「切欠部（窓）が少なくとも２つ」および「ほぼ１８０°対向して配置された２つの切欠部（窓）」という条件を満たしている。
【図面の簡単な説明】
【００４１】
【図１】本発明にかかるゲーベルトップ型紙容器の第１実施形態を示す斜視図。
【図２】図１に示す第１実施形態のゲーベルトップ型紙容器のブランク板を示す平面図。
【図３】図２のＸ−Ｘ線の断面を図解的に示す図。
【図４】本発明にかかるゲーベルトップ型紙容器の第２実施形態を示す斜視図。
【図５】図４に示す第２実施形態のゲーベルトップ型紙容器のブランク板を示す平面図。
【図６】本発明にかかるゲーベルトップ型紙容器の第３実施形態を示す斜視図。
【図７】図６に示す第３実施形態のゲーベルトップ型紙容器のブランク板を示す平面図。
【図８】本発明にかかるゲーベルトップ型紙容器の第４実施形態を示す斜視図。
【図９】図８に示す第４実施形態のゲーベルトップ型紙容器のブランク板を示す平面図。
【図１０】本発明にかかるゲーベルトップ型紙容器の第５実施形態を示す斜視図。
【図１１】図１０に示す第５実施形態のゲーベルトップ型紙容器のブランク板を示す平面図。
【図１２】本発明にかかる第１実施形態のゲーベルトップ型紙容器の使用状態を説明する概略図。
【図１３】左右の切欠部の高さ位置をずらして配置した例を説明する斜視図。
【図１４】切欠部を容器稜線に沿って断続的に形成した例を説明する斜視図。
【図１５】ゲーベルトップ型ではなく、容器天面をフラットに構成した例を示す斜視図。
【図１６】変則屋根のゲーベルトップを採用した例を説明する図。
【図１７】容器内部を目視確認することを容易にした例を説明する図。
【符号の説明】
【００４２】
１，２，３，４                  側面板
５                              糊代片
６                              注出部材取付孔
１０、１１０                    注出部材
１１、１１ａ、１１ｂ            切欠部
１１ｄ、１１ｅ                  切欠部
１２                            罫線
１５、１６                      稜線
１５β、１６β                  分断された稜線部分
１ａ，２ａ，３ａ，４ａ          傾斜屋根部形成板
１ｂ，２ｂ，３ｂ，４ｂ          底部形成板
２０，２０’                    ＬＤＰＥ層
２１                            紙層
２２                            ＥＭＡＡ層
２３                            酸化珪素蒸着層
２４                            ＰＥＴフィルム
２５                            エチレン−αオレフィン共重合体層
Ａ                              基材層
Ｂ                              中間層
Ｃ                              内層
Ｐ１〜Ｐ５、Ｐ７，Ｐ８、Ｐ２０  ゲーベルトップ型紙容器
Ｐ１１，Ｐ１７，Ｐ１８          天面がフラットな紙容器
Ｐ１’〜Ｐ５’                  ブランク板
【図１】
0005380850.tif 000002
【図２】
0005380850.tif 000003
【図３】
0005380850.tif 000004
【図４】
0005380850.tif 000005
【図５】
0005380850.tif 000006
【図６】
0005380850.tif 000007
【図７】
0005380850.tif 000008
【図８】
0005380850.tif 000009
【図９】
0005380850.tif 000010
【図１０】
0005380850.tif 000011
【図１１】
0005380850.tif 000012
【図１２】
0005380850.tif 000013
【図１３】
0005380850.tif 000014
【図１４】
0005380850.tif 000015
【図１５】
0005380850.tif 000016
【図１６】
0005380850.tif 000017
【図１７】
0005380850.tif 000018